(57)【要約】【課題】蒸発促進部材に吸収されたドレン水を機械室内を流通する空気との接触により効率よく蒸発させることのできるショーケースを提供する。【解決手段】機械室１ｂの凝縮器１７を各蒸発板１９の空気流入側に配置したので、各蒸発板１９に流入する空気の温度を凝縮器１７の廃熱によって上昇させることができ、温度の高い空気によって各蒸発板１９の蒸発作用を高めることができる。その際、各蒸発板１９を機械室１ｂ内の空気流通方向に対して横長になるように凝縮器１７とほぼ同等の幅に形成したので、凝縮器１７から流出した空気を各蒸発板１９の全体に満遍なく接触させることができ、各蒸発板１９に吸収されたドレン水を空気との接触により効率よく蒸発させることができる。【選択図】図６
2005074090.tif 000002
【特許請求の範囲】
【請求項１】
ショーケース本体内に設けられた商品収納部と、商品収納部内を冷却する冷却器と、冷却器で発生したドレン水を受容するドレンパンと、ドレンパン内のドレン水を吸収して空気との接触により蒸発させる蒸発促進部材と、ショーケース本体の下部に設けられた機械室と、機械室内に配置された凝縮器と、機械室内に空気を流通させる送風機とを備え、機械室内にドレンパン及び蒸発促進部材を配置したショーケースにおいて、
前記凝縮器を蒸発促進部材の空気流入側に配置するとともに、
蒸発促進部材を機械室内の空気流通方向に対して横長になるように凝縮器とほぼ同等の幅に形成した
ことを特徴とするショーケース。
【請求項２】
前記機械室内に収容される圧縮機を蒸発促進部材の空気流入側に配置した
ことを特徴とする請求項１記載のショーケース。
【請求項３】
前記ドレンパンを加熱するヒータと、
ドレンパン内のドレン水が所定水位以上になるとヒータを作動するスイッチとを備えた
ことを特徴とする請求項１または２記載のショーケース。
【請求項４】
前記ドレンパンの外面の少なくとも一部を前記ヒータと共に覆う断熱材を備えた
ことを特徴とする請求項３記載のショーケース。
【請求項５】
前記ドレンパンを機械室のほぼ全幅に亘るように形成した
ことを特徴とする請求項１、２、３または４記載のショーケース。
【発明の詳細な説明】
【技術分野】
【０００１】
本発明は、コンビニエンスストア、スーパーマーケット等の店舗に設置されるショーケースに関するものである。
【背景技術】
【０００２】
従来、この種のショーケースとしては、ショーケース本体内に設けられた商品収納部と、商品収納部内の空気を冷却する冷却器と、ショーケース本体の下部に設けられた機械室と、機械室内に空気を流通する送風機と、機械室内に設けられたドレンパンとを備え、冷却器で発生したドレン水をドレンパンによって受容するようにしたものが知られている（例えば、特許文献１参照）。
【０００３】
また、前記ショーケースでは、ドレンパン上に毛細管作用によって水分を吸い上げる多数の蒸発板を設け、蒸発板に吸収したドレン水を空気との接触によって蒸発させることにより、ドレン水の蒸発を促進するようにしている。
【０００４】
例えば、従来のショーケースは、図９に示すように前面側から外気を吸入し、背面側から排気する機械室３０を備え、機械室３０内の幅方向一端側には、互いに幅方向に配列された多数の蒸発板３１を前後二列に配置している。
【特許文献１】特開２００１−２０８４６２号公報
【発明の開示】
【発明が解決しようとする課題】
【０００５】
しかしながら、従来のショーケースでは、蒸発板３１を機械室３０内の幅方向一端側に前後二列に配置しているため、空気流通方向の下流側に位置する蒸発板３１まで十分に空気が流通せず、蒸発板３１に吸収されたドレン水を空気との接触により効率よく蒸発させることができないという問題点があった。
【０００６】
本発明は前記問題点に鑑みてなされたものであり、その目的とするところは、蒸発促進部材に吸収されたドレン水を機械室内を流通する空気との接触により効率よく蒸発させることのできるショーケースを提供することにある。
【課題を解決するための手段】
【０００７】
本発明は前記目的を達成するために、請求項１では、ショーケース本体内に設けられた商品収納部と、商品収納部内を冷却する冷却器と、冷却器で発生したドレン水を受容するドレンパンと、ドレンパン内のドレン水を吸収して空気との接触により蒸発させる蒸発促進部材と、ショーケース本体の下部に設けられた機械室と、機械室内に配置された凝縮器と、機械室内に空気を流通させる送風機とを備え、機械室内にドレンパン及び蒸発促進部材を配置したショーケースにおいて、前記凝縮器を蒸発促進部材の空気流入側に配置するとともに、蒸発促進部材を機械室内の空気流通方向に対して横長になるように凝縮器とほぼ同等の幅に形成している。これにより、凝縮器が蒸発促進部材の空気流入側に配置されていることから、凝縮器の廃熱によって温度の上昇した空気が蒸発促進部材に流入する。その際、蒸発促進部材が空気流通方向に対して横長になるように凝縮器とほぼ同等の幅に形成されていることから、凝縮器から流出した空気が蒸発促進部材の全体に満遍なく接触する。
【０００８】
また、請求項２では、請求項１記載のショーケースにおいて、前記機械室内に収容される圧縮機を蒸発促進部材の空気流入側に配置している。これにより、請求項１の作用に加え、圧縮機が蒸発促進部材の空気流入側に配置されていることから、圧縮機の廃熱によって温度の上昇した空気も蒸発促進部材に流入する。
【０００９】
また、請求項３では、請求項１または２記載のショーケースにおいて、前記ドレンパンを加熱するヒータと、ドレンパン内のドレン水が所定水位以上になるとヒータを作動するスイッチとを備えている。これにより、請求項１または２の作用に加え、ドレンパンがヒータによって加熱されるとともに、ドレンパン内のドレン水が所定水位以上になるとヒータが作動することから、ヒータを必要以上に作動させることがない。
【００１０】
また、請求項４では、請求項３記載のショーケースにおいて、前記ドレンパンの外面の少なくとも一部を前記ヒータと共に覆う断熱材を備えている。これにより、請求項３の作用に加え、ドレンパンの下面が断熱材によってヒータと共に覆われることから、ヒータの熱が外部に放出されることなく効率よくドレンパンに伝達される。また、断熱材によってドレンパンが保温されるので、ヒータの作動が停止した後も、ドレンパン内のドレン水が保温される。
【００１１】
また、請求項５では、請求項１、２、３または４記載のショーケースにおいて、前記ドレンパンを機械室のほぼ全幅に亘るように形成している。これにより、請求項１、２、３または４の作用に加え、ドレンパンが機械室のほぼ全幅に亘るように形成されているこから、ドレンパン内のドレン水が機械室内の空気に接触する面積が広くなる。
【発明の効果】
【００１２】
請求項１のショーケースによれば、蒸発促進部材に流入する空気の温度を凝縮器の廃熱によって上昇させることができるので、温度の高い空気によって蒸発促進部材の蒸発作用を高めることができる。その際、凝縮器から流出した空気を蒸発促進部材の全体に満遍なく接触させることができるので、蒸発促進部材に吸収されたドレン水を空気との接触により効率よく蒸発させることができ、ドレンパン内のドレン水を人手によって排出する手間を極めて少なくすることができる。
【００１３】
また、請求項２のショーケースによれば、請求項１の作用に加え、蒸発促進部材に流入する空気の温度を圧縮機の廃熱によっても上昇させることができるので、温度の高い空気によって蒸発促進部材の蒸発作用をより一層高めることができる。
【００１４】
また、請求項３のショーケースによれば、請求項１または２の作用に加え、ドレン水の量が多い場合でも、ドレンパン内のドレン水をヒータによって速やかに蒸発させることができるとともに、ヒータを必要以上に作動させることがないので、消費エネルギーの低減を図ることができる。
【００１５】
また、請求項４のショーケースによれば、請求項３の作用に加え、ヒータの熱を外部に放出させることなく効率よくドレンパンに伝達することができるので、ドレンパン内のドレン水をヒータによって効率よく蒸発させることができる。更に、ドレンパンを保温することもできるので、ヒータの作動が停止した後もドレンパン内のドレン水を高温に保つことができ、ドレンパン内のドレン水の自然蒸発を促進することもできる。
【００１６】
また、請求項５のショーケースによれば、請求項１、２、３または４の効果に加え、ドレンパン内のドレン水が機械室内の空気に接触する面積を広くすることができるので、ドレン水の自然蒸発をより一層促進することができる。
【発明を実施するための最良の形態】
【００１７】
図１乃至図８は本発明の一実施形態を示すもので、図１はショーケースの斜視図、図２はその正面図、図３は正面概略断面図、図４はその側面概略断面図、図５はその平面概略断面図、図６は機械室の平面図、図７はドレンパンの側面断面図、図８は電気ヒータの回路構成図である。
【００１８】
このショーケースは前面、背面及び幅方向一側面を開口したショーケース本体１と、ショーケース本体１内の前面側及び背面側にそれぞれ設けられた第１の商品収納部２と、ショーケース本体１内の幅方向一側面側に設けられた第２の商品収納部３と、各商品収納部２，３内に設けられた複数の商品棚４と、ショーケース本体１の底面側、幅方向両側面側及び上面側にそれぞれ形成された通風路５と、各第１の商品収納部２の背面側に設けられた第１の縦ダクト６と、第２の商品収納部３の背面側に設けられた第２の縦ダクト７と、底面側通風路５内に配置された冷却器８及び送風機９とを備えている。
【００１９】
ショーケース本体１は、その上面を覆う断熱性の天板１０と、ショーケース本体１の前面、背面、一側面の下部及び底面側を覆う断熱壁１１と、ショーケース本体１の幅方向他側面を覆う側板１２と、各第１の商品収納部２の上面を覆う上面板１３と、各第１の商品収納部２の底面を覆う第１の底面板１４と、第２の商品収納部３の底面を覆う第２の底面板１５とからなり、ショーケース本体１の開口部下端には底面側通風路５内に連通する空気吸入口１ａが各商品収納部２，３，４の周縁に亘って設けられている。
【００２０】
各第１の商品収納部２は、それぞれショーケース本体１の前面側及び背面側開口部の内側に形成され、互いに各縦ダクト６，７を間にして設けられている。
【００２１】
第２の商品収納部３は、ショーケース本体１の一側面側開口部の内側に形成され、一方の縦ダクト６の前後方向両側を通じて各第１の商品収納部２にそれぞれ連通している。
【００２２】
各商品棚４は各商品収納部２，３内に上下複数段に設けられ、各段の商品棚４は互いに各商品収納部２，３に亘って連続するように形成されている。
【００２３】
通風路５は、その底面側を各底面板１４，１５と断熱壁１１との間に形成され、その上面側は天板１０と上面板１３との間に形成されている。通風路５の底面側及び上面側は互いに各縦ダクト６，７を介して連通しており、底面側通風路５内の空気は各縦ダクト６，７に流入するようになっている。また、上面側通風路５の前後方向両端には、各第２の商品収納部３に空気を吐出する空気吐出口５ａがそれぞれ設けられている。
【００２４】
第１の縦ダクト６は各第１の商品収納部２の背面に沿って上下方向に延びる中空状に形成され、その上端及び下端をそれぞれ上面側通風路５及び底面側通風路５に連通させている。第１の縦ダクト７の前面及び背面には、各第１の商品収納部３内にそれぞれ臨む空気吐出口６ａが上下方向及び幅方向の複数箇所に設けられ、各空気吐出口６ａは第１の縦ダクト７の上部に多く設けられている。
【００２５】
第２の縦ダクト７は上端側から下端側に向かって前後方向の幅が徐々に広くなる縦長中空状に形成され、その上端及び下端をそれぞれ上面側通風路５及び底面側通風路５に連通させている。この場合、第２の縦ダクト７は、第２の商品収納部２よりも幅を小さく形成されるとともに、その内部を第１の縦ダクト６内に連通するように第１の縦ダクト６の一側面と一体に形成されている。また、第２の縦ダクト７の一側面には、第２の商品収納部２内に臨む空気吐出口７ａが上下方向及び幅方向の複数箇所に設けられている。
【００２６】
冷却器８は機械室１ｂ内の圧縮機１６及び凝縮器１７に接続された蒸発器からなり、底面側通風路５内に互いに前後方向に隣接するように計２つ設けられている。
【００２７】
送風機９は底面側通風路５内に設けられ、各第１の商品収納部２の第１の底面板１５の下方に配置されている。
【００２８】
また、ショーケース本体１はその下部に機械室１ｂを有し、機械室１ｂの前面には吸気口１ｃが設けられ、その背面には排気口１ｄが設けられている。機械室１ｂ内には圧縮機１６及び凝縮器１７が収容されており、凝縮器１７の背面側には複数の凝縮器用送風機１７ａが互いに幅方向に間隔をおいて設けられている。凝縮器１７は機械室１ｂの幅方向に延びるように横長に形成され、吸気口１ｃに臨むように機械室１ｂ内の前面側に配置されている。また、凝縮器１７の後方には圧縮機１６が横向きに配置されている。
【００２９】
機械室１ｂ内の背面側には冷却器８で発生したドレン水を受容するドレンパン１８が設けられ、ドレンパン１８上にはドレン水を蒸発させる多数の蒸発板１９が設けられている。ドレンパン１８は機械室１ｂのほぼ全幅に亘るように横長に形成され、各冷却器８のドレン水が図示しないドレン流通管を介して流入するようになっている。各蒸発板１９は、毛細管作用によって水分を吸い上げる周知の平板状部材からなり、その下端側を支持部材１９ａによってドレンパン１８の底面のやや上方に保持されている。この場合、各蒸発板１９は互いにドレンパン１８の幅方向に間隔をおいて横長に配列されるとともに、機械室１ｂ内の左右にそれぞれ一列ずつ若干の間隔をおいて配置されている。即ち、各蒸発板１９は、横長に形成された蒸発促進部材をなし、その全幅Ｌ1 は凝縮器１７の幅Ｌ2 とほぼ同等の寸法に形成されている。
【００３０】
また、ドレンパン１８内には、ドレン水の水位を検知するフロートスイッチ２０が設けられ、フロートスイッチ２０はドレンパン１８の幅方向一端側に配置されている。フロートスイッチ２０は、ドレンパン１８の側壁に固定された取付板２０ａと、取付板２０ａから下方に延びる支持ピン２０ｂと、支持ピン２０ｂに上下方向に移動自在に支持されたフロート２０ｃとからなり、図７に示すようにフロート２０ｃが上下方向所定位置（図中一点鎖線位置）まで上昇すると、図示しないスイッチの接点が閉じるようになっている。
【００３１】
ドレンパン１８の下面には加熱手段としての電気ヒータ２１が設けられ、ドレンパン１８の下面はグラスウール等からなる断熱材２２によって電気ヒータ２１と共に覆われている。電気ヒータ２１は、図８に示すようにフロートスイッチ２０を介して電源２３に接続されており、フロートスイッチ２０の接点が閉じると電源２３に通電するようになっている。
【００３２】
以上のように構成されたショーケースにおいては、空気吸入口１ａから底面側通風路５内に吸入された空気が各冷却器８によって冷却されるとともに、各縦ダクト６，７内の通風路５を介して上面側通風路５まで流通し、各縦ダクト６，７の空気吐出口６ａ，７ａ及び上面側通風路５の空気吐出口５ａから各商品収納部２，３内に吐出される。
【００３３】
また、前記ショーケースにおいては、各冷却器８のドレン水がドレンパン１８内に流入すると、ドレンパン１８内のドレン水が各蒸発板１９に吸い上げられる。各蒸発板１９は各凝縮器用送風機１７ａによって機械室１ｂ内を流通する空気と接触し、これにより各蒸発板１９に吸収されたドレン水が蒸発する。その際、各蒸発板１９は空気流通方向に対して横長になるように配列されるとともに、凝縮器１７の幅Ｌ2 とほぼ同等の幅Ｌ1 に形成されているため、機械室１ｂ内を流通する空気が各蒸発板１９の全体に満遍なく接触する。
【００３４】
ここで、ドレン水の量が多い場合など、ドレンパン１８内のドレン水の水位が上がり、フロート２０ｃが上昇してフロートスイッチ２０がオンになると、電気ヒータ２１が駆動され、電気ヒータ２１の加熱によりドレンパン１８内のドレン水が蒸発する。
【００３５】
このように、本実施形態のショーケースによれば、各蒸発板１９を空気流通方向に対して横長になるように凝縮器１７とほぼ同等の幅に形成したので、機械室１ｂ内を流通する空気を各蒸発板１９の全体に満遍なく接触させることができ、各蒸発板１９に吸収されたドレン水を空気との接触により効率よく蒸発させることができる。
【００３６】
この場合、機械室１ｂの凝縮器１７を各蒸発板１９の空気流入側に配置したので、各蒸発板１９に流入する空気の温度を凝縮器１７の廃熱によって上昇させることができ、温度の高い空気によって各蒸発板１９の蒸発作用を高めることができる。
【００３７】
また、機械室１ｂの圧縮機１６を各蒸発板１９の空気流入側に配置したので、各蒸発板１９に流入する空気の温度を凝縮器１７の廃熱のみならず、圧縮機１６の廃熱によっても上昇させることができ、各蒸発板１９の蒸発作用をより一層高めることができる。
【００３８】
更に、ドレンパン１８を電気ヒータ２１によって加熱するようにしたので、ドレン水の量が多い場合でもドレンパン１８内のドレン水を電気ヒータ２１によって速やかに蒸発させることができる。この場合、ドレンパン１８内のドレン水の水位を検知するフロートスイッチ２０により、ドレン水が所定水位以上になると電気ヒータ２１を作動するようにしたので、電気ヒータ２１を必要以上に作動させることがなく、消費電力の低減を図ることができる。
【００３９】
また、ドレンパン１８の下面を断熱材２２によって電気ヒータ２１と共に覆うようにしたので、電気ヒータ２１の熱を外部に放出させることなく効率よくドレンパン１８に伝達することができ、ドレンパン１８内のドレン水を電気ヒータ２１によって効率よく蒸発させることができる。更に、断熱材２２によってドレンパン１８を保温することもできるので、電気ヒータ２１がオフになった後もドレンパン１８内のドレン水を保温することができ、ドレンパン１８内のドレン水の自然蒸発を促進することもできる。
【００４０】
更に、ドレンパン１８を機械室１ｂのほぼ全幅に亘るように形成したので、ドレンパン１８内のドレン水が機械室１ｂ内の空気に接触する面積を広くすることができ、ドレン水の自然蒸発をより一層促進することができる。
【００４１】
尚、前記実施形態では、各蒸発板１９を機械室１ｂ内の左右にそれぞれ一列ずつ若干の間隔をおいて配置したものを示したが、左右方向に連続して配列するようにしてもよい。また、前記実施形態では、前面、背面及び一側面を開口した、いわゆるオープンショーケースを示したが、開口部に扉を有するものなど、他のタイプのショーケースであってもよい。
【図面の簡単な説明】
【００４２】
【図１】本発明の一実施形態を示すショーケースの斜視図
【図２】ショーケースの正面図
【図３】ショーケースの正面概略断面図
【図４】ショーケースの側面概略断面図
【図５】ショーケースの平面概略断面図
【図６】機械室の平面図
【図７】ドレンパンの側面断面図
【図８】電気ヒータの回路構成図
【図９】従来例を示す機械室の平面図
【符号の説明】
【００４３】
１…ショーケース本体、１ｂ…機械室、２…第１の商品収納部、３…第２の商品収納部、８…冷却器、１７…凝縮器、１７ａ…凝縮器用送風機、１８…ドレンパン、１９…蒸発板、２０…フロートスイッチ。２１…電気ヒータ、２２…断熱材。
【図１】
2005074090.tif 000003
【図２】
2005074090.tif 000004
【図３】
2005074090.tif 000005
【図４】
2005074090.tif 000006
【図５】
2005074090.tif 000007
【図６】
2005074090.tif 000008
【図７】
2005074090.tif 000009
【図８】
2005074090.tif 000010
【図９】
2005074090.tif 000011